(57)【特許請求の範囲】
【請求項１】
可撓性を有する板状のシート基板を備え、
表面に粘着剤が塗布され、前記シート基板の上面全体を覆うフィルムシートが、前記シート基板の両端部の近傍に取り付けられ、
前記シート基板の下面に、前記シート基板の一辺から他辺に向かって延びるハーフカット状の折曲部が、前記シート基板の前記一辺に直交する一端から他端に亘って複数形成されることにより、
小動物が前記フィルムシートに貼り付くことで、前記シート基板が筒状に折り曲げられて前記小動物を囲い込むことができることを特徴とする小動物捕獲器。
【請求項２】
前記折曲部は、前記シート基板の前記一端から前記他端に亘って等間隔に形成されることを特徴とする請求項１に記載の小動物捕獲器。
【請求項３】
前記フィルムシートに、前記シート基板の前記一端から前記他端に向かって延びるスリットが、前記シート基板の前記一辺から前記他辺に亘って等間隔に複数形成されることを特徴とする請求項１又は２に記載の小動物捕獲器。
【発明の詳細な説明】
【技術分野】
【０００１】
本発明は、小動物捕獲器に関し、より詳細には、齧歯類動物等の有害小動物を捕獲するのに好適な小動物捕獲器に関する。
【背景技術】
【０００２】
従来、齧歯類動物(例えば、ネズミ)等の小動物を捕獲する捕獲器としては、板状部材に粘着剤を塗布した粘着層を設け、粘着層に小動物を粘着させて捕獲するものが知られており、捕獲効率を向上させるために種々の提案がなされている。
【０００３】
例えば、蛇腹状(アコーディオン状)に折り癖を付けた台紙の表面に粘着剤を塗布したもの（例えば、特許文献１参照。)や、接着剤層が設けられたフレキシブルシートを複数箇所で基板に接着したもの(例えば、特許文献２参照。)や、基板に浮動可能に載置されると共に、少なくとも１点で基板に連結された浮動シートの表面に粘着層を設けたもの(例えば、特許文献３参照。)や、シートをロール状に巻くことができるように、シートに巾方向の折線を設けたもの（例えば、特許文献４参照。）などが知られている。
【０００４】
【特許文献１】実公昭５９−０２９４９１号公報(第１−２頁、第１図)
【特許文献２】実用新案登録番号第２５５２８１３号公報(第１−２頁、図１)
【特許文献３】特開平１０−１３６８６３号公報(第３−５頁、図１)
【特許文献４】実開平０１−１６８１８０号公報（第５−７頁、第１図）
【発明の開示】
【発明が解決しようとする課題】
【０００５】
ところが、上記特許文献１〜特許文献４に開示されている捕獲器は、いずれも屈曲可能な基板あるいは柔軟なシートの表面に塗布された粘着剤にネズミ等の小動物を粘着させ、柔軟なシートを当該小動物の身体に絡みつかせて捕獲するようにしたものである。しかし、ネズミ等の小動物は、足裏に挨や油を付着させている場合が多く、シート上を歩いても十分に粘着せずに捕獲できないことがある。特に、ネズミ等の脚力の強い小動物は、脚が粘着剤に粘着しても大きくジャンプして粘着剤から離脱し、シートが身体に絡みつく前に脱出してしまう虞がある。
【０００６】
また、特許文献１に開示されているような硬質の台紙や、特許文献２〜特許文献４に開示されているような平板状の基板上に載置された薄いシートに粘着層が設けられた捕獲器では、捕獲部(基板)の剛性が高いので、ネズミ等の小動物が脱出する際のしっかりした足場を与える結果となり、ネズミ等の小動物が脚に力を入れ易く、容易に脱出してしまう虞がある。また、ネズミ等の小動物が脱出する際に暴れるのでシートが破れて飛散し、周囲を汚して不衛生となる虞もある。
【０００７】
本発明は、前述した事情に鑑みてなされたものであり、その目的は、粘着剤に貼り付いた小動物の離脱しようとする力を吸収すると共に、折曲部を起立させ若しくは小動物の身体を確実に絡み付かせることで、逃亡防止性能を向上することができる小動物捕獲器を提供することにある。
【課題を解決するための手段】
【０００８】
本発明の上記目的は、下記の構成により達成される。
（１）  可撓性を有する板状のシート基板を備え、表面に粘着剤が塗布され、シート基板の上面全体を覆うフィルムシートが、シート基板の両端部の近傍に取り付けられ、シート基板の下面に、シート基板の一辺から他辺に向かって延びるハーフカット状の折曲部が、シート基板の一辺に直交する一端から他端に亘って複数形成されることにより、小動物がフィルムシートに貼り付くことで、シート基板が筒状に折り曲げられて小動物を囲い込むことができることを特徴とする小動物捕獲器。
（２）  折曲部は、シート基板の一端から他端に亘って等間隔に形成されることを特徴とする（１）に記載の小動物捕獲器。
（３）  フィルムシートに、シート基板の一端から他端に向かって延びるスリットが、シート基板の一辺から他辺に亘って等間隔に複数形成されることを特徴とする（１）又は（２）に記載の小動物捕獲器。
【０００９】
上記（１）に記載の小動物捕獲器によれば、可撓性を有する板状のシート基板を備え、表面に粘着剤が塗布され、シート基板の上面全体を覆うフィルムシートが、シート基板の両端部の近傍に取り付けられ、シート基板の下面に、シート基板の一辺から他辺に向かって延びるハーフカット状の折曲部が、シート基板の一辺に直交する一端から他端に亘って複数形成されるため、小動物がフィルムシートの表面の粘着剤に貼り付いた際に、離脱しようと脚に力を入れてもがき暴れたとしても、フィルムシートの一部がシート基板から離れて小動物の力を吸収することができるので、小動物にフィルムシートをより一層貼り付かせることができる。また、小動物がフィルムシートに貼り付くことにより、シート基板が折曲部から折り曲げられて小動物を囲み込むことができるので、小動物にフィルムシートを確実に絡み付かせることができる。これらにより、小動物捕獲器の逃亡防止性能を向上することができる。
また、上記（２）に記載の小動物捕獲器によれば、折曲部は、シート基板の一端から他端に亘って等間隔に形成されるため、小動物がフィルムシートに貼り付くことにより、シート基板が即時に筒状に折り曲げられて小動物を囲い込むことができるので、小動物捕獲器の逃亡防止性能をさらに向上することができる。
また、上記（３）に記載の小動物捕獲器によれば、フィルムシートに、シート基板の一端から他端に向かって延びるスリットが、シート基板の一辺から他辺に亘って等間隔に複数形成されるため、フィルムシートが複数のスリットにより複数本のシート支片に分割されるので、小動物にフィルムシートを効率よく貼り付かせることができる。
【発明の効果】
【００１０】
本発明の小動物捕獲器によれば、可撓性を有する板状のシート基板を備え、表面に粘着剤が塗布され、シート基板の上面全体を覆うフィルムシートが、シート基板の両端部の近傍に取り付けられ、シート基板の下面に、シート基板の一辺から他辺に向かって延びるハーフカット状の折曲部が、シート基板の一辺に直交する一端から他端に亘って複数形成されるため、粘着剤に貼り付いた小動物の離脱しようとする力を吸収することができると共に、折曲部を起立させ若しくは小動物の身体を確実に絡み付かせることができるので、小動物捕獲器の逃亡防止性能を向上することができる。
【発明を実施するための最良の形態】
【００１１】
以下、本発明に係る小動物捕獲器の各実施形態について、図面を参照して詳細に説明する。
【００１２】
（第１実施形態）
まず、図１〜図５を参照して、本発明に係る小動物捕獲器の第１実施形態について説明する。
図１は本発明に係る小動物捕獲器の第１実施形態を説明するための斜視図、図２は図１に示す小動物捕獲器を裏面から見た斜視図、図３は図１に示す小動物捕獲器に小動物が貼り付いた際の斜視図、図４は図１に示す小動物捕獲器に小動物が囲い込まれた際の斜視図、図５は第１実施形態の変形例を示す説明図である。
【００１３】
図１に示すように、本実施形態の小動物捕獲器１０は、板状のシート基板１１と、表面に粘着材が塗布され、シート基板１１に対して離接自在に設けられるフィルムシート１２と、シート基板１１にフィルムシート１２を固定するための接着部１３，１３と、を備えている。
【００１４】
シート基板１１は、例えば、厚紙、段ボール、プラスチック板、金属板等といった、或る程度の可撓性及び重量を有する板材から形成される矩形状の板状部材であって、必要に応じて、例えば、アルミニウム等の金属の蒸着加工や、アルミニウム箔等の金属箔や、プラスチックシート等の貼り付け加工が施されている。このシート基板１１は、フィルムシート１２を固定するための基台となる。なお、シート基板１１は、矩形状に代えて、正方形状であってもよい。また、シート基板１１は、床等に置かれて用いられるために、その色と同系の色彩にするのが好ましい。
【００１５】
また、シート基板１１には、図２に示すように、シート基板１１を折り曲げるための折曲部１４，１４・・・がシート基板１１の長手方向に沿って等間隔に形成されている。この折曲部１４，１４・・・は、シート基板１１の長手方向に直交する方向に沿って形成されるハーフカット状の切り込みであって、シート基板１１の裏面の全域に形成されている。なお、折曲部１４は、シート基板１１に等間隔に形成されているが、これに限定されず、等間隔でなくてもよく、シート基板１１の少なくとも両端部に１本ずつ形成されていればよい。また、折曲部１４としては、ハーフカット状の切り込みを用いているが、キャタピラ形状等を用いてもよい。さらに、折曲部１４は、シート基板１１の長手方向に直交する方向に沿って形成されているが、シート基板１１の長手方向に沿って形成されていても、両方向に格子状に形成されていても、縦横に複数本形成されていてもよい。
【００１６】
フィルムシート１２は、ポリエチレン、ポリプロピレン、ポリエチレンテレフタレート等から形成されるフィルム状部材である。このフィルムシート１２は、図１に示すように、その長手方向の両端縁部が、接着剤等ならなる接着部１３，１３によりシート基板１１の長手方向の両端縁部上に接着される。これにより、フィルムシート１２は、接着部１３，１３に接着される両端縁部を除く中央部分がシート基板１１に対して離接自在な状態（浮いた状態）に配置される。また、フィルムシート１２には、小動物を捕獲する際に引っ張る力が働く。なお、フィルムシート１２は、透明又は半透明でよいが、捕獲対象の小動物が好む色彩にした方がより好ましい。
【００１７】
また、フィルムシート１２には、図１に示すように、シート基板１１の長手方向に沿って等間隔にスリット１５，１５・・・が形成されている。このスリット１５は、シート基板１１の長手方向に沿って、フィルムシート１２の一方の端部から他方の端部に亘ってスリット状に形成されるものである。そして、フィルムシート１２は、このスリット１５，１５・・・によって、短冊状のシート支片１６，１６・・・に分割されている。なお、スリット１５は、フィルムシート１２に等間隔に形成されているが、等間隔でなくてもよい。また、スリット１５は、シート基板１１の長手方向に沿って形成されているが、シート基板１１の長手方向に直交する方向に沿って形成されていてもよい。さらに、スリット１５は、複数本形成されているが、一本形成されるだけでもよい。
【００１８】
フィルムシート１２の表面には、粘着剤が塗布されて粘着層１７が形成されている。この粘着層１７を形成する粘着剤としては、ゴム類あるいは合成樹脂類を主成分とし、これに多量の軟化剤、粘着力付与樹脂、等を添加したものである。軟化剤としては、ライトプロセス油、ミネラル油、動物または植物油、低分子量ポリエチレンおよびポリイソブチレン、ポリブデン等を挙げることができる。粘着力付与樹脂としては、ロジン系樹脂、テルペン系樹脂等を挙げることができる。また、粘着剤には、必要に応じて、例えば、殺鼠剤等の薬剤を添加してもよい。また、犬、猫などの愛玩動物が誤って粘着層１７に粘着することを防止するため、粘着剤にこれらの愛玩動物に対する忌避剤を添加してもよい。忌避剤としては、メチルノニルケトン誘導体を有効成分とする忌避剤[例えば、ＣＡＮＹ´Ｓ社(フランス)製のＲＥＰＵＬＳＩＦ  Ｄ´ＩＮＴＥＲＩＥＵＲ，含量３．１７重量％]等を挙げることができるが、これに限定されるものではなく、犬、猫などの愛玩動物に対して忌避効果を有し、捕獲対象の小動物に対して忌避効果を有しないか、あるいは忌避効果に劣るものであればよい。なお、粘着層１７は、フィルムシート１２の全面に塗布されるものであるが、ジグザグな塗布や部分的な塗布であってもよい。
【００１９】
次に、図３及び図４を参照して、本実施形態の小動物捕獲器１０の作用について説明する。
【００２０】
小動物捕獲器１０は、ネズミ（小動物）Ｍが出没する場所に粘着層１７を上方に向けて設置する。そして、ネズミＭが小動物捕獲器１０の上を通過すると、図３に示すように、粘着層１７を有するシート支片１６，１６・・・がネズミＭの脚に貼り付き捕捉する。さらに、ネズミＭが逃れようと脚に力を入れてもがき暴れると、そのネズミＭの力は、シート支片１６，１６・・・がシート基板１１から離れることにより吸収され、ネズミＭにシート支片１６，１６・・・がより一層強く貼り付く。
【００２１】
そして、ネズミＭがシート支片１６，１６・・・に貼り付くことによって、図４に示すように、シート基板１１が折曲部１４，１４・・・から折り曲げられてネズミＭを囲い込み、ネズミＭの矢印Ａ方向への逃亡を阻止にする。これにより、ネズミＭは小動物捕獲器１０に筒状に巻き付かれ、身動きが取れなくなり、やがて体力を消耗して捕獲される。
【００２２】
従って、本実施形態の小動物捕獲器１０によれば、板状のシート基板１１と、表面に粘着剤が塗布され、シート基板１１に対して離接自在に設けられ、且つ捕獲する時に引っ張る力が働くフィルムシート１２と、を備え、シート基板１１の少なくとも両端部に折曲部１４が設けられるため、小動物Ｍがフィルムシート１２の表面の粘着剤に貼り付いた際に、離脱しようと脚に力を入れてもがき暴れたとしても、フィルムシート１２の一部がシート基板１１から離れて小動物Ｍの力を吸収することができるので、小動物Ｍにフィルムシート１２をより一層貼り付かせることができる。また、小動物Ｍがフィルムシート１２に貼り付くことにより、シート基板１１が折曲部１４から折り曲げられて小動物Ｍを囲み込むことができるので、小動物Ｍにフィルムシート１２を確実に絡み付かせることができる。これらにより、小動物捕獲器１０の逃亡防止性能を向上することができる。
【００２３】
また、本実施形態の小動物捕獲器１０によれば、フィルムシート１２には、複数のスリット１５，１５・・・が設けられ、フィルムシート１２は、複数のスリット１５，１５・・・を介してシート基板１１に対して離接自在であるため、フィルムシート１２が複数のスリット１５，１５・・・により複数本のシート支片１６，１６・・・に分割されるので、小動物Ｍにフィルムシート１２を効率よく貼り付かせることができる。
【００２４】
また、本実施形態の小動物捕獲器１０によれば、折曲部１４は、シート基板の全域に等間隔に設けられるため、小動物Ｍがフィルムシート１２に貼り付くことにより、シート基板１１が即時に筒状に折り曲げられて小動物Ｍを囲い込むことができるので、小動物捕獲器１０の逃亡防止性能をさらに向上することができる。
【００２５】
なお、本実施形態の変形例として、図５に示すように、シート基板１１は、その長手方向両端に形成される折曲部１４，１４を予め折り曲げ、シート基板１１の両端部分を起立させるようにしてもよい。この場合、シート基板１１の両端部分が起立しているため、ネズミＭが矢印Ｂ方向に沿って貼り付いたとしても、ネズミＭが矢印Ｂ方向に逃亡することを防止できる。また、ネズミＭが矢印Ｃ方向から小動物捕獲器１０に侵入するように促すことができる。なお、予め折り曲げられる折曲部１４の位置及び本数は任意である。
【００２６】
（第２実施形態）
次に、図６を参照して、本発明に係る小動物捕獲器の第２実施形態について説明する。
図６は本発明に係る小動物捕獲器の第２実施形態を説明するための平面図である。
【００２７】
本実施形態の小動物捕獲器１０では、図６に示すように、フィルムシート１２の粘着層１７に紐１８を貼り付けている。この紐１８は、フィルムシート１２の中央部にシート基板１１の長手方向に直交する方向に沿って貼り付けられている。なお、紐１８の貼り付け方向、場所及び本数は任意である。また、紐１８は、本実施形態では細い紐を使用するが、チューブ状、細巾短冊状の部材であってもよい。
【００２８】
従って、本実施形態の小動物捕獲器１０によれば、フィルムシート１２の粘着層１７に紐１８を貼り付けるため、小動物を捕獲する際に、フィルムシート１２に引っ張る力が働き易くなる。これにより、小動物捕獲器１０が折り曲がり易くなるので、小動物捕獲器１０の逃亡防止性能をさらに向上することができる。また、紐１８は細い紐であるので、粘着層１７の粘着面積を狭くすることがなく、十分な粘着面積を確保できる。
その他の構成及び作用効果については、上記した第１実施形態と同様である。
【図面の簡単な説明】
【００２９】
【図１】本発明に係る小動物捕獲器の第１実施形態を説明するための斜視図である。
【図２】図１に示す小動物捕獲器を裏面から見た斜視図である。
【図３】図１に示す小動物捕獲器に小動物が貼り付いた際の斜視図である。
【図４】図１に示す小動物捕獲器に小動物が囲い込まれた際の斜視図である。
【図５】第１実施形態の変形例を示す説明図である。
【図６】本発明に係る小動物捕獲器の第２実施形態を説明するための平面図である。
【符号の説明】
【００３０】
１０    小動物捕獲器
１１    シート基板
１２    フィルムシート
１３    接着部
１４    折曲部
１５    スリット
１６    シート支片
１７    粘着層（粘着剤）
１８    紐
【図１】
0004708149.tif 000002
【図２】
0004708149.tif 000003
【図３】
0004708149.tif 000004
【図４】
0004708149.tif 000005
【図５】
0004708149.tif 000006
【図６】
0004708149.tif 000007